(57)【特許請求の範囲】
【請求項１】
装飾板（ａ）と、該装飾板（ａ）に折線（１）を介して連設される底面板（ｂ）と、該底面板（ｂ）に折線（２）を介して連設される側部斜面板（ｃ）と、該側部斜面板（ｃ）に折線（３）及び飛出孔（６）を介して連設される側部斜面板（ｄ）と、該側部斜面板（ｄ）に折線（４）を介して連設される底面板（ｅ）とからなり、
前記折線（１）および前記折線（３）に沿って折り曲げられることによって前記装飾板（ａ）が挟み入れられたポップアップカードであって、
前記折線（２）および前記折線（４）に沿って外側に折り曲げることによって前記装飾板（ａ）を前記飛出孔（６）より飛び出させることにより起立させることを特徴とするポップアップカード。
【請求項２】
立体的な形態から前記装飾板（ａ）を前記飛出孔（６）より引込め、元の平面的なカード状形態に変形させることを特徴とする請求項１に記載のポップアップカード。
【請求項３】
さらに前記底面板（ｅ）に折線（５）を介して連設される連結板（ｆ）を有するとともに、前記装飾板（ａ）、前記底面板（ｂ）、前記側部斜面板（ｃ）、前記側部斜面板（ｄ）、前記底面板（ｅ）および前記連結板（ｆ）が１枚のブランク板（ｐ）で構成されていることを特徴とする請求項１又は２に記載のポップアップカード。
【請求項４】
前記ブランク板（ｐ）は、装飾板（ａ）と、装飾板（ａ）に折線（１）を介して連設される底面板（ｂ）と、底面板（ｂ）に折線（２）及び切込部（１ｃ）を介して連設される側部斜面板（ｃ）と、側部斜面板（ｃ）に折線（３）及び飛出孔（６）を介して連設される側部斜面板（ｄ）と、側部斜面板（ｄ）に折線（４）及び切込部（１ｄ）を介して連設される底面板（ｅ）と、底面板（ｅ）に折線（５）を介して連設される連結板（ｆ）とで構成されているとともに、前記側部斜面板（ｃ）の長さが前記底面板（ｂ）の長さよりも長く、かつ、前記側部斜面板（ｄ）の長さが前記底面板（ｅ）の長さよりも長いことを特徴とする請求項３に記載のポップアップカード。
【請求項５】
前記切込部（１ｃ）（１ｄ）はそれぞれ側部斜面板（ｃ）（ｄ）側に張り出して設けられ、突出片（１ｂ）（１ｅ）が形成されることを特徴とする請求項４に記載のポップアップカード。
【請求項６】
前記ブランク板（ｐ）は、板紙やボール紙等の厚紙類で構成されていることを特徴とする請求項３乃至５のいずれかに記載のポップアップカード。
【発明の詳細な説明】
【０００１】
【発明の属する技術分野】
本発明は、主に雑貨、菓子類などの景品として利用できるポップアップカードに関するものである。
【０００２】
【従来の技術】
従来から、雑貨、菓子類などに景品が付くことはよくある。
そして、飛び出す絵本のように、拡開することによって立体化する飛び出し式（ポップアップ式）の仕掛けもよく知られている。
【０００３】
【発明が解決しようとする課題】
しかしながら、拡開することによって立体化するポップアップ式では機械で製作することが困難であり、従来、このようなポップアップ式の景品等の多くは手作りであった。
そこで、本発明は、機械で簡単に製作できるポップアップ式の景品、即ちポップアップカードを得ることを目的とするものである。
【０００４】
【課題を解決するための手段】
本発明は以上のような目的を達成するために、次のようなポップアップカードを提供するものである。すなわち、請求項１に記載の発明は、装飾板（ａ）と、該装飾板（ａ）に折線（１）を介して連設される底面板（ｂ）と、該底面板（ｂ）に折線（２）を介して連設される側部斜面板（ｃ）と、該側部斜面板（ｃ）に折線（３）及び飛出孔（６）を介して連設される側部斜面板（ｄ）と、該側部斜面板（ｄ）に折線（４）を介して連設される底面板（ｅ）とからなり、前記折線（１）および前記折線（３）に沿って折り曲げられることによって前記装飾板（ａ）が挟み入れられたポップアップカードであって、  前記折線（２）および前記折線（４）に沿って外側に折り曲げることによって前記装飾板（ａ）を、前記飛出孔（６）より飛び出させることにより起立させることを特徴とするものである。
そして、請求項２に記載の発明は、立体的な形態から前記装飾板（６）を前記飛出孔（６）より引込め、元の平面的なカード状形態に変形させることを特徴とするものである。
さらに、請求項３に記載の発明は、底面板（ｅ）に折線（５）を介して連設される連結板（ｆ）を有するとともに、前記装飾板（ａ）、前記底面板（ｂ）、前記側部斜面板（ｃ）、前記側部斜面板（ｄ）、前記底面板（ｅ）および前記連結板（ｆ）を１枚のブランク板（ｐ）で構成したことを特徴とするものである。
また、請求項４に記載の発明は、前記ブランク板（ｐ）は、装飾板（ａ）と、装飾板（ａ）に折線（１）を介して連設される底面板（ｂ）と、底面板（ｂ）に折線（２）及び切込部（１ｃ）を介して連設される側部斜面板（ｃ）と、側部斜面板（ｃ）に折線（３）及び飛出孔（６）を介して連設される側部斜面板（ｄ）と、側部斜面板（ｄ）に折線（４）及び切込部（１ｄ）を介して連設される底面板（ｅ）と、底面板（ｅ）に折線（５）を介して連設される連結板（ｆ）とで構成されているとともに、前記側部斜面板（ｃ）の長さが前記底面板（ｂ）の長さよりも長く、かつ、前記側部斜面板（ｄ）の長さが前記底面板（ｅ）の長さよりも長いことを特徴とするものである。
加えて、請求項５に記載の発明は、前記切込部（１ｃ）（１ｄ）はそれぞれ側部斜面板（ｃ）（ｄ）側に張り出して設けられ、突出片（１ｂ）（１ｅ）が形成されていることを特徴とするものである。
また、請求項６に記載の発明は、前記ブランク板（ｐ）は、板紙やボール紙等の厚紙類で構成されていることを特徴とするものである。
【０００５】
【発明の実施の形態】
以下、本発明の実施の形態を図面を基に詳細に説明する。
図１はポップアップカードの展開図であり、図２はカード状形態のポップアップカードの平面図である。また、図３はポップアップカードを立体的な形態に変形させる様子を示す説明図であり、図４は立体的形態に変形後のポップアップカードの斜視図である。
本発明のポップアップカード（Ｐ）は、１枚の厚紙類でできたブランク板で構成され、ワンタッチで２次元の平面的なカード状形態から３次元の立体的なポップアップ状形態（立体姿勢）へ変形できるとともに、３次元の立体的なポップアップ状形態から２次元の平面的なカード状形態へもワンタッチで変形させることができるもので、従来、拡開してポップアップさせていたものを、折り畳むような動作によってポップアップさせることを特徴とするものである。そして、従来できなかった機械での製作を可能としたものである。
【０００６】
そこで、まず、図１を基に本発明にかかるポップアップカード（Ｐ）のブランク板（ｐ）について説明する。
このブランク板（ｐ）は、板紙やボール紙等の厚紙類で構成されるもので、飛出孔（６）から飛び出す（ポップアップする）装飾板（ａ）と、装飾板（ａ）に折線（１）を介して連設されている左底面板（ｂ）と、左底面板（ｂ）に折線（２）及び切込部（１ｃ）を介して連設されている左側部斜面板（ｃ）と、左側部斜面板（ｃ）に折線（３）及び飛出孔（６）を介して連設されている右側部斜面板（ｄ）と、右側部斜面板（ｄ）に折線（４）及び切込部（１ｄ）を介して連設されている右底面板（ｅ）と、右底面板（ｅ）に折線（５）を介して連設されている連結板（ｆ）とで構成されている。
そして、装飾板（ａ）には、任意のものを象ったデザインを施したり、両面に絵柄等の印刷等を施すもので、図示のものは女性の横顔がデザインされている。また、装飾板（ａ）の下部、即ち左底面板（ｂ）と連設する側には、連結板（ｆ）と互いに貼着できるように連結板（ｆ）とほぼ同じ大きさを有する連結部（２ａ）が形成されている。
また、左右側部斜面板（ｃ）（ｄ）の長さＬ１は、左右底面板（ｂ）（ｅ）の長さＬ２より、少し長め（Ｌ１＞Ｌ２）になっており、これら側部斜面板と底面板とで、カード状のケースを構成するものである。
【０００７】
切込部（１ｃ）（１ｄ）はそれぞれ左側部斜面板（ｃ）及び右側部斜面板（ｄ）側に張り出すようにして設けるもので、左右の底面板（ｂ）（ｅ）から連設するように突出片（１ｂ）（１ｅ）が形成されるようになっている。
なお、この突出片（１ｂ）（１ｅ）は、図示するような角形状に形成してもよいし、先端部分を円弧状に形成してもよい。この突出片の形状は特に限定されない。
また、飛出孔（６）は、装飾板（ａ）の連結部（２ａ）を除く装飾部（１ａ）が、その孔から飛び出すことができる程度の大きさに穿設されているもので、ブランク板の横幅方向に細長状に設けられ、飛出孔（６）両側には折線（３）がある。
【０００８】
以上のようなブランク板（ｐ）を実際にカード状に折畳成形するには、まず、折線（１）に沿って装飾板（ａ）を折り曲げ、左底面板（ｂ）及び左側部斜面板（ｃ）上に重ねる。そして、折線（３）に沿って折り曲げた右側部斜面板（ｄ）及び右底面板（ｅ）を、折り曲げた装飾板（ａ）の上に重ねて、折線（５）に沿って折り曲げた連結板（ｆ）と装飾板（ａ）下部の連結部（２ａ）とを接着剤等の接着手段によって貼着する。
こうして製作されたカード状形態のポップアップカード（Ｐ）は、図２で示す通りであるが、この図２で示すように、カード状形態のときには、中の装飾板（ａ）が外部から全く見えないようになっている。つまり、装飾板（ａ）の大きさが、側部斜面板と底面板を加えた大きさより小さくなっている。
また、このように、１枚のブランク板を３箇所で折り曲げ、ただ１箇所接着剤等で貼着するだけでポップアップカードを製作できるので、機械化が容易にでき、全ての製作過程を機械で行うことが可能となる。
【０００９】
次に、カード状形態のポップアップカード（Ｐ）を立体的な形態、即ち立体姿勢に変形させるには、図３で示すように、まず、飛出孔（６）両側の折線（３）部分と、連結板（ｆ）及び連結部（２ａ）の折線（１）（５）部分とを手で挟み、折線（２）（４）に沿ってカードを折り曲げるように押圧して、左右の側部斜面板（ｃ）（ｄ）を押し下げるとともに、装飾板（ａ）を飛出孔（６）から飛び出させる。
こうしてできた立体姿勢のポップアップカード（Ｐ）は図４で示す通りである。
この図４で示すように、左右の側部斜面板（ｃ）（ｄ）は、カードを折り畳んだときに、装飾板（ａ）の装飾部（１ａ）と連結部（２ａ）との境界部分に設けられた段差部（３ａ）に折線（３）部分が当接することによって、それ以上下降しないようになっており、左右側部斜面板（ｃ）（ｄ）が左右底面板（ｂ）（ｅ）よりも少し長めに形成されていることによって、左右の底面板（ｂ）（ｅ）で構成する底面を水平にすることができる。
また、このように、左右の側部斜面板（ｃ）（ｄ）が傾斜した状態を保つようになっていると、装飾板（ａ）の起立状態を支持することができるとともに、成形された立体姿勢を安定させることができる。
そして、切込部（１ｃ）（１ｄ）によって形成された突出片（１ｂ）（１ｅ）により、更に立体姿勢を安定させることができるようになっており、この突出片（１ｂ）（１ｅ）に、装飾板（ａ）に施した印刷やデザイン等と関連のある印刷等を施したり、くじとして利用したりするなど、任意に創意工夫すれば、より一層景品としての楽しみを増やすことができる。
【００１０】
また、立体姿勢のポップアップカードを元のカード状形態に変形させるには、左右の側部斜面板（ｃ）（ｄ）と底面板（ｂ）（ｅ）の境界となる折線（２）（４）部分を手で挟むようにして押圧し、装飾板（ａ）を引込めるようにしてカードを折り畳み、図２で示す状態にすればよい。
このように、本発明のポップアップカード（Ｐ）は、カード状形態から立体姿勢に簡単に変形させることができるとともに、その立体姿勢からカード状形態にも簡単に変形させることができる。
【００１１】
以上のように、本発明のポップアップカードによれば、組み立てる等の手間を全く必要とせず、押圧するような折り畳み動作で簡単にポップアップさせたり、元のカード状形態に復元したりすることができる利便性を有するとともに、景品として雑貨や菓子類などに付けるときには、カード状形態で取り扱うことができるため、余計なスペースをとらなくて済む。
また、カード状形態のときには、中の装飾板が外から全く見えない状態であるため、ポップアップさせたときの楽しみがあり、突出片にも絵柄等の印刷等を施して、装飾板と突出片の３箇所から絵柄等を出現させるようにすれば、ポップアップさせたときの楽しみを増加させることができる。
また、１枚のブランク板で製作することができ、製作するための加工が３箇所の折り曲げと、１箇所の貼り着けだけで済むため、機械化が容易にでき、従来できなかった機械での製作が可能となる。
なお、言うまでもなく、本発明は、本発明の精神の範囲内において、適宜設計変更可能なものであり、側部斜面板及び底面板も説明の便宜上左右を区別して説明したにすぎない。
【００１２】
【発明の効果】
本発明のポップアップカードによれば、装飾板（ａ）と、該装飾板（ａ）に折線（１）を介して連設される底面板（ｂ）と、該底面板（ｂ）に折線（２）を介して連設される側部斜面板（ｃ）と、該側部斜面板（ｃ）に折線（３）及び飛出孔（６）を介して連設される側部斜面板（ｄ）と、該側部斜面板（ｄ）に折線（４）を介して連設される底面板（ｅ）とからなり、前記折線（１）および前記折線（３）に沿って折り曲げられることによって前記装飾板（ａ）が挟み入れられたポップアップカードであって、  前記折線（２）および前記折線（４）に沿って外側に折り曲げることによって前記装飾板（ａ）を、前記飛出孔（６）より飛び出させることにより起立させるように構成されているので、組み立てる等の手間を全く必要とせず、押圧するような折り畳み動作で簡単にポップアップさせることができ、かつ、その逆に元のカード状形態にも簡単に復元させることができるため、きわめて利便性があり、景品として付けるときには、カード状形態で取り扱うことができるため、余計なスペースもとらない。また、カード状形態のときには、装飾板が外から全く見えない状態であるため、ポップアップさせたときの楽しみがあり、突出片にも絵柄等の印刷等を施せば、装飾板や突出片を出現させたときの楽しみを増加させることができる。また、このポップアップカードは、１枚のブランク板を３箇所で折り曲げ、１箇所貼り着け加工するだけで製作できるため、従来できなかった機械での製作が容易に可能となる。
【図面の簡単な説明】
【図１】ポップアップカードの展開図
【図２】カード状形態のポップアップカードの平面図
【図３】ポップアップカードを立体的な形態に変形させる様子を示す説明図
【図４】立体的な形態に変形後のポップアップカードの斜視図
【符号の説明】
Ｐ  ポップアップカード
ｐ  ブランク板
ａ  装飾板
ｂ  左底面板
ｃ  左側部斜面板
ｄ  右側部斜面板
ｅ  右底面板
ｆ  連結板
１ａ  装飾部
２ａ  連結部
３ａ  段差部
１ｂ  突出片
１ｃ  切込部
１ｄ  切込部
１ｅ  突出片
１〜５  折線
６  飛出孔
【図１】
0003648342.tif 000002
【図２】
0003648342.tif 000003
【図３】
0003648342.tif 000004
【図４】
0003648342.tif 000005